(57)【要約】      （修正有）【課題】ブラシヘッドが交換可能であり、クリーニングの効果を確実にすると共に、歯ブラシを清潔に維持できるペット用歯ブラシを提供する。【解決手段】より堅いプラスチック製刷毛およびより柔らかいＴＰＥ製刷毛の両方が装着されたハイブリッドブラシヘッド１と、ブラシハンドル１６と、ブラシヘッド１およびブラシハンドル１６を接続する接続ネックとを備える。歯磨剤チューブはペット用歯磨剤を収容する。歯磨剤排出口がブラシヘッド１の近くに設けられる。接続ネックとブラシハンドル１６との間の接続部に設けられる一方向送出バルブは、歯磨剤を歯磨剤チューブから歯磨剤通路へ送出し、歯磨剤はその後、歯磨剤排出口から押し出される。プッシュキャップ５またはボタンを用いることによって、歯ブラシは継続的に歯磨剤を絞り出すことができる。歯ブラシは交換可能なブラシヘッド１を有する。歯磨剤排出口を閉鎖することができる。【選択図】図１
2019047775.tif 000002
【特許請求の範囲】
【請求項１】
ブラシヘッドと、ブラシハンドルと、前記ブラシヘッドおよび前記ブラシハンドルを接続する接続ネックとを備えるペット用歯ブラシであって、
前記ブラシハンドルは、ペット用歯磨剤を含む歯磨剤チューブを収容し、歯磨剤排出口が前記ブラシヘッドの近くに設けられ、前記接続ネックには、前記歯磨剤排出口に接続された歯磨剤通路が設けられ、前記接続ネックと前記ブラシハンドルとの間の接続部には、前記歯磨剤チューブから前記歯磨剤通路への一方向のみの歯磨剤の流れが前記歯磨剤排出口から押し出されることを可能にするための一方向バルブの手段が設けられ、前記ブラシヘッドは、プラスチック製刷毛および熱可塑性エラストマー製刷毛（ＴＰＥ製刷毛）の両方を含むハイブリッドブラシヘッドである、
ペット用歯ブラシ。
【請求項２】
前記ＴＰＥ製刷毛は前記プラスチック製刷毛より短い、請求項１に記載のペット用歯ブラシ。
【請求項３】
前記歯磨剤排出口は、前記ＴＰＥ製刷毛が装着された領域内に歯磨剤を吐出するように配置されている、請求項１または２に記載のペット用歯ブラシ。
【請求項４】
前記ブラシヘッドは、前記プラスチック製刷毛が装着されたプラスチック製の基部またはプラットフォームを含む、請求項１から３のいずれか一項に記載のペット用歯ブラシ。
【請求項５】
前記プラスチック製刷毛は、前記ブラシヘッドの先端または遠位端に配置され、前記ＴＰＥ製刷毛は、前記ブラシヘッドの後端または近位端に配置されている、請求項４に記載のペット用歯ブラシ。
【請求項６】
前記ブラシヘッドは選択的に、前記接続ネックに取り付け可能であり、前記接続ネックから取り外し可能である、請求項１から４のいずれか一項に記載のペット用歯ブラシ。
【請求項７】
使用中に保持手段が前記ブラシヘッドを前記接続ネックに固定し、前記接続ネックから前記ブラシヘッドを手動で取り外すことを可能にする、請求項６に記載のペット用歯ブラシ。
【請求項８】
前記ブラシヘッドは、収容する側である凹部または孔を含み、前記接続ネックは、前記凹部または孔の中に収容される寸法を有する嵌合するタブまたはタングを有する、請求項７に記載のペット用歯ブラシ。
【請求項９】
前記保持手段は、前記凹部または孔と前記タブまたはタングとの間に摩擦嵌めを提供するための、前記凹部または孔および前記タブまたはタングの寸法を有する、請求項８に記載のペット用歯ブラシ。
【請求項１０】
前記保持手段は、前記凹部または孔の表面上の窪みと、前記タブまたはタングが前記凹部または孔に完全に挿入されてスナップ嵌めを提供するときに前記窪みと同一の広がりを有するように配置された、前記タブまたはタングの上の突出部とを含む、請求項８に記載のペット用歯ブラシ。
【請求項１１】
前記ＴＰＥ製刷毛は、前記プラスチック製の基部またはプラットフォームの上にオーバーモールドされる、請求項４に記載のペット用歯ブラシ。
【請求項１２】
歯磨きのリマインダ、歯磨きの記録またはログ、および、歯磨きの時間のタイマのうちの少なくとも１つの通知を提供するためのアプリが搭載された、ペットの飼い主の携帯デバイスと通信するためのブルートゥース（登録商標）手段を更に含む、請求項１に記載のペット用歯ブラシ。
【請求項１３】
ブラシヘッドと、ブラシハンドルと、前記ブラシヘッドおよび前記ブラシハンドルを接続する接続ネックとを備えるペット用歯ブラシであって、
前記ブラシハンドルは、ペット用歯磨剤を格納する歯磨剤チューブを収容し、歯磨剤排出口が前記ブラシヘッドの近くに設けられ、前記接続ネックには、前記歯磨剤排出口に接続された歯磨剤通路が設けられ、前記接続ネックと前記ブラシハンドルとの間の接続部には、前記歯磨剤チューブから前記歯磨剤通路への一方向のみの歯磨剤の流れが前記歯磨剤排出口から押し出されることを可能にするための一方向バルブの手段が設けられ、前記ブラシヘッドは、プラスチック製刷毛および熱可塑性エラストマー製刷毛（ＴＰＥ製刷毛）の両方を含むハイブリッドブラシヘッドであり、前記ブラシヘッドは選択的に、前記接続ネックに取り付け可能であり、前記接続ネックから取り外し可能である、
ペット用歯ブラシ。
【請求項１４】
前記ブラシヘッドは選択的に、前記接続ネックに取り付け可能であり、前記接続ネックから取り外し可能である、請求項１３に記載のペット用歯ブラシ。
【請求項１５】
使用中に保持手段が前記ブラシヘッドを前記接続ネックに固定し、前記接続ネックから前記ブラシヘッドを手動で取り外すことを可能にする、請求項１４に記載のペット用歯ブラシ。
【請求項１６】
前記ブラシヘッドは、収容する側である凹部または孔を含み、前記接続ネックは、前記凹部または孔の中に収容される寸法を有する嵌合するタブまたはタングを有する、請求項１５に記載のペット用歯ブラシ。
【請求項１７】
前記保持手段は、前記凹部または孔と前記タブまたはタングとの間に摩擦嵌めを提供するための、前記凹部または孔および前記タブまたはタングの寸法を有する、請求項１６に記載のペット用歯ブラシ。
【請求項１８】
前記保持手段は、前記凹部または孔の表面上の窪みと、前記タブまたはタングが前記凹部または孔に完全に挿入されてスナップ嵌めを提供するときに前記窪みと同一の広がりを有するように配置された、前記タブまたはタングの上の突出部とを含む、請求項１７に記載のペット用歯ブラシ。
【請求項１９】
歯磨きのリマインダ、歯磨きの記録またはログ、および、歯磨きの時間のタイマのうちの少なくとも１つの通知を提供するためのアプリが搭載された、ペットの飼い主の携帯デバイスと通信するためのブルートゥース（登録商標）手段を更に含む、請求項１３に記載のペット用歯ブラシ。
【請求項２０】
ブラシヘッドと、ブラシハンドルと、前記ブラシヘッドおよび前記ブラシハンドルを接続する接続ネックとを備えるペット用歯ブラシであって、
前記ブラシハンドルは、前記ブラシハンドルの中にペット用歯磨剤を含む歯磨剤チューブを収容し、歯磨剤排出口が前記ブラシヘッドの近くに設けられ、前記接続ネックには、前記歯磨剤排出口に接続された歯磨剤通路が設けられ、前記接続ネックと前記ブラシハンドルとの間の接続部には、前記歯磨剤チューブから前記歯磨剤通路への一方向のみの歯磨剤の流れが前記歯磨剤排出口から押し出されることを可能にするための一方向バルブの手段が設けられ、前記ブラシヘッドは、プラスチック製刷毛および熱可塑性エラストマー（ＴＰＥ）製刷毛の両方を含むハイブリッドブラシヘッドである、
ペット用歯ブラシ。
【発明の詳細な説明】
【技術分野】
【０００１】
［１．発明の分野］
本発明は一般的に、歯ブラシに関連し、より具体的には、ペット用歯ブラシに関連する。
【０００２】
［２．従来技術の説明］
現代では、生活水準の向上に伴い、人々の生活においてペットはますます一般的なものになってきている。ペットは生活の重要な部分になった。そのため、ペットの衛生、特に、ペットの口腔衛生はますます重要になってきている。現在、ペットの口のクリーニングでは、通常の歯ブラシを使用する必要がある。しかしながら、ペット用歯磨剤は一般的に肉の味がする。ペットの歯を磨こうとしているとき、歯磨剤が歯に付けられる前に、ペットは歯磨剤を飲み込みがちである。そのため、通常の歯ブラシを使用しても、所望されるクリーニングの効果を達成できない。クリーニング処置を継続するために歯磨剤を何度も付けることは非効率であり、時間がかかる。 
【発明の概要】
【０００３】
本発明に係る歯ブラシは、上記の問題を克服することが意図されている。より具体的には、本発明に係るペット用歯ブラシは、ブラシヘッドと、ブラシハンドルと、ブラシヘッドおよびブラシハンドルを接続する接続ネックとを備え、ハンドルには、ペット用歯磨剤を収容するための歯磨剤チューブが設けられている。歯磨剤がハンドル内の歯磨剤カートリッジから歯磨剤排出口へ運ばれること、および、選択的に単方向送出アセンブリを通して歯磨剤排出口から押し出されることを可能にするべく、ハンドルによって支えられている接続ネックにおける歯磨剤通路に接続された歯磨剤排出口が設けられている。
【０００４】
更に、単方向送出アセンブリは、アセンブリハウジング、可撓性押圧ブラダ、ブラダサポート、プッシュキャップまたはボタン、圧縮ブラケット、閉鎖ブラケット、および、一端で接続ネックに固定されている一方向バルブを含む。押圧ブラダは、カプセルチューブまたはネックを含むスリーブ状カプセルを含む。カプセルチューブまたはネックは、カプセルを歯磨剤通路に連通させる。カプセルの開口端は、歯磨剤シリンダの開口部に向いており、歯磨剤シリンダの開口部に封止的に接続されている。一方向バルブが歯磨剤シリンダの開口部に設けられている。押圧ブラケットは、カプセル本体周囲の半円形リングであり、押圧ブラケットの両端には、押圧フレームの２つの端とカプセル本体またはモジュールシェルとの間をリセットするための弾性部材が設けられている。プッシュキャップまたはボタンが、弾性部材の反対側にある、押圧フレームの側面に設けられ、プッシュキャップはモジュールケースの外部に突出している。閉鎖ブラケットは、両側でブラダサポートに枢動可能に接続されているＵ字形のフレームであり、押圧ブラケットは、閉鎖ブラケットの２つの端を押圧して閉鎖ブラケットを回転させることができ、その結果、閉鎖ブラケットの下端がブラダチューブまたはネックを押圧して、歯磨剤の歯磨剤通路への送出を停止および防止する。
【０００５】
更に、歯磨剤シリンダまたはカートリッジは、バレルと、バレル本体の端に設けられた開口部とを含む。バレルの本体には、滑動ディスクまたはピストンが設けられ、滑動シールが、滑動ディスクまたはピストンと、バレルの内壁との間に設けられている。ブラシハンドルの端には、通気穴が設けられている。
【０００６】
更に、カプセルの開口端には、密封フランジが設けられ、カプセルの開口部と歯磨剤シリンダとの間に設けられた歯磨剤固定リングを通して、歯磨剤のための開口部をブラダサポートに固定できる。チェックバルブは、チェックバルブパネルを通る、Ｔ字形のボンネットの形状であり得る。
【０００７】
更に、歯磨剤の出口点には、歯磨剤通路に対応して、ブラシの近くの位置に、かつ、接続ネックに垂直に配置された管状の排出カプセル化口が排出カプセル孔の側壁上に設けられていることが好ましい。
【０００８】
後述される、本発明に係るペット用歯ブラシには、従来技術と比較して以下の特長がある。
【０００９】
１．歯ブラシをペットの口の中に入れて、歯の近く、および、歯磨きを開始する位置に置いた後に歯磨剤を出すことによって、ペットの歯を磨くための容易かつ便利な手段を提供する。
２．再使用できる。使用後に、歯磨剤を再度絞り出すことができる。
３．操作が容易である。
４．内部の歯磨剤が清潔であることを確実にするために、歯磨剤排出口を閉鎖することができる。 
【図面の簡単な説明】
【００１０】
【図１】本発明に係るペット用歯ブラシの実施形態の外部構造の側面図である。
【図２】図１に示される実施形態において使用されるスリーブ状の押圧ブラダの断面図である。
【図３】図１に示されるペット用歯ブラシの立体分解図である。
【図４】図２に示されるブラダに圧力を加えるための動作コンポーネントを示す、図１に示されるペット用歯ブラシの部分立体分解図である。
【図５】歯磨剤を吐出するためにプッシュキャップまたはボタンが押圧されているときの、図１に示される歯ブラシの動作状態の断面図である。
【図６】プッシュキャップまたはボタンが解放された後のリセット状態における、図４と同様の部分立体分解図である。
【図７】プッシュキャップまたはボタンが解放された後のリセット状態における、図５と同様の断面図である。
【図８】歯磨剤の流れを遮断するための、ブラダチューブまたはネックに位置する閉鎖ブラケットを示す、図５の細部の拡大断面図である。
【図９】モジュールケースまたはアセンブリハウジングから分離された、歯磨剤シリンダを格納するハンドルを示す概略図である。
【図１０】本発明に係るペット用歯ブラシの別の実施形態の断面の描画である。
【図１１】本発明に係るペット用歯ブラシの更に別の実施形態の側面図である。
【図１２】プッシュキャップまたはボタンに力を加える前の状態における、図１１に示されるペット用歯ブラシの断面である。
【図１３】図１１および図１２に示される歯ブラシの図３と同様の立体分解図である。
【図１４】プッシュキャップまたはボタンが、手動で圧力を加えてプッシュキャップまたはボタンを内向きに導く前の伸長位置にあるときの、図１２に示される歯ブラシの拡大断面の詳細である。
【図１５】図１４と同様であるが、可撓性ブラダを押圧または変形させるための引込位置にあるプッシュキャップまたはボタンを示す。
【図１６】図１１から図１５に示される実施形態についての、図９と同様の図である。
【図１７】歯ブラシのネックに取り付けられた状態である、図１１に示されるブラシヘッドの遠位端の拡大透視図である。
【図１８】図１７に示されるブラシヘッドの、歯ブラシのネックから取り外されているときの、反対の近位端からの透視図である。
【図１９】ブラシヘッドから取り外された接続ネックを示す、図１１から図１８の歯ブラシの透視図である。
【発明を実施するための形態】
【００１１】
図面を具体的に参照し、最初に図１から図３を参照すると、絶縁性のペット用歯ブラシ１００が、ブラシヘッド１およびブラシハンドル１６を備える。接続ネック１８が、ブラシヘッド１およびハンドル１６を接続する。ペット用歯磨剤を収容するための歯磨剤シリンダ１３が設けられている。ネック１８の中には、ブラシヘッド１の近くまで延びている歯磨剤排出口または歯磨剤流路１９が設けられている。歯磨剤排出口に接続されている一方向運搬アセンブリまたはバルブは、歯磨剤を歯磨剤シリンダ１３から歯磨剤流路１９へ一方向に送出することができ、歯磨剤はその後、歯磨剤排出口から押し出される。ブラシヘッド１および接続ネック１８は、一体的に形成され得て、交換することができる。
【００１２】
単方向送出アセンブリは、アセンブリハウジング３、可撓性押圧ブラダまたはスリーブ状カプセル１１、ブラダサポート８、プッシュキャップ５またはボタン、押圧ブラケット６、閉鎖ブラケット４、および、チェックバルブ９を備える。保持または支持プレート１０は、チェックバルブ９を所定位置に維持する。モジュールハウジング３は、ネック１８に接続され、他方の端は、スリーブ状ブラダ２０と、ブラダ２０を歯磨剤流路１９に連通させるためのブラダネックまたはチューブ２１とを含むハンドル１６に固定されている。ブラダ２０の開口端は、歯磨剤シリンダ１３に向いている。ブラダ２０の開口部は、歯磨剤シリンダ１３の開口部に密封接続された密封フランジ２２を有する。押圧ブラケット６は、ブラダ本体２０を囲む半円形リングである。弾性復元部材７が押圧ブラケット６の両端と、弾性部材７の反対側の、押圧ブラケット６の側面に設けられ、キャップ５を押圧するブラダキャリアもしくはサポート８、または、モジュールもしくはアセンブリハウジング３との間に設けられている。閉鎖ブラケット４は、両側でブラダサポートまたはフレーム８に枢動可能に接続されたＵ字形フレームである。押圧または圧縮ブラケット６は、閉鎖ブラケット４の両端を押圧し、押圧のときにブラケット４を回転させることができ、その結果、閉鎖ステント４の下端はブラダ２１を押圧し、それにより、歯磨剤排出口または流路１９への歯磨剤の送出を停止する。フレーム構造全体が上下に動く。弾性部材７はスプリングであるが、他のあらゆる復元部材が使用され得る。押圧ブラダ１１はゴムなどの弾性材料からできている。 
【００１３】
歯磨剤シリンダまたはキャニスタ１３は、缶または他の管状のバレル本体を含む。バレル本体の一端には開口部が設けられている。滑動ディスクまたはピストン１５がバレル本体の内部に設けられ、滑動ディスクまたはピストン１５とバレルの内壁との間に滑動シール１４が設けられている。ハンドル１６の底部には、通気穴１７が設けられている。 
【００１４】
図２に示されるように、カプセルブラダ本体２０の開口端には、密封フランジ２２が設けられている。歯磨剤シリンダ１３の開口部は、カプセル本体２０に設けられている歯磨剤固定リング１２を通して、ブラダホルダまたはサポート８に固定されている。歯磨剤は、シリンダ１３の開口部とチェックバルブ９との間に設けられる。 
【００１５】
歯磨剤排出口または歯磨剤流路の口には、管状の排出口ニップルまたは排出口バルブノブ２が設けられ、ブラシヘッド１の近く、かつ、接続ネック１８に垂直に配置されている。内部の歯磨剤の衛生状態を清潔に維持することを確実にするべく、接続孔が歯磨剤通路１９に連通しないように、ニップル２を回転させることができる。 
【００１６】
図４から図８に示されているように、プッシュキャップまたはボタン５を押圧することによって押圧フレームまたは圧縮ブラケット５が押圧されるとき、ブラダ１１が押下され、これがブラダ１１の内部を押圧する。キャップまたはボタン５が解放されるとき、それは弾性部材７の作用の下で引き上げられ、ブラダ１１は弾性部材７の弾性によって初期状態に戻る。閉鎖ホルダまたはブラケット４は、ブラダ２０のネックまたはチューブ２１を押圧してそれを閉鎖し、チェックバルブ９は大気圧によって開かれる。歯磨剤シリンダ１３における歯磨剤は、押圧または可撓性ブラダ１１内へ導かれる。プッシュキャップまたはボタン５を押圧すると、チェックバルブ９が押圧されて閉鎖する。閉鎖ブラケット４が開かれ、可撓性ブラダ１１を押圧して、歯磨剤通路または流路１９を通して押し出されるように歯磨剤を導く。この動作は、十分な歯磨剤が歯磨剤排出口から押し出されるまで繰り返される。歯磨剤が前方へ押圧され続けている間、滑動バックシートディスクまたはピストン１５は、大気圧の作用の下で、滑動シール１４と共に前へ滑動する。滑動シール１４は、ハンドル１６の内壁に最終的に接触し、歯磨剤が清潔に絞り出されることを確実にする。
【００１７】
図９に示されるように、歯磨剤シリンダ１３における歯磨剤が欠乏した後に、ハンドル１６がモジュールケースまたはアセンブリハウジング３から取り外され得て、新しい歯磨剤を歯磨剤シリンダ１３に詰め込むことができる。この時間の間、滑動ディスクまたはピストン１５はシール１４と共に、図９において矢印によって指示される歯磨剤シリンダの底部または後部まで後方に滑動し、再循環が実現される。
【００１８】
図１０を参照すると、本発明の代替的設計または実施形態１００'が示されている。歯ブラシ１００'は、最初に記載した実施形態１００と多くの特徴を共有している。しかしながら、ブラシヘッド１には、排出口ニップル２の代わりに、１または複数の穴３０が設けられている。好ましくは、歯磨剤を刷毛の上部に付ける代わりに内部から吐出するべく、ネック１８における排出口流路１９からブラシヘッド１の刷毛３２の間の領域における開口部へ延びている複数の穴３０が設けられる。歯を磨かれるようにペットを誘導するべく、ペット用歯磨剤は通常、良い風味が付けられているので、歯磨剤が舐められることがあるが、この実施形態によりそれが回避されるであろう。
【００１９】
ハンドル１６'の底部または後部には、有利なことに、ペットの歯を磨くときのリマインダを提供し、歯磨きの記録もつける、ペットの飼い主の携帯電話上のアプリと通信できる任意の従来のブルートゥース（登録商標）ユニットまたはモジュール３４が設けられている。
【００２０】
ヘッドのネック１８は、嵌合するねじ山３６を用いることによってハウジングに取り付けられ得る。また、プッシュキャップまたはボタン５は、一方向バルブを有する修正されたポンプの一部を形成する。しかしながら、使用されるその特定のポンプおよびバルブは不可欠ものではなく、プッシュキャップまたはボタン５が押下されたとき、歯磨剤を歯磨剤シリンダからネック１８へ、および、それを超えて刷毛の近くまで単方向に進めることができる任意のそのようなコンポーネントが使用され得る。
【００２１】
図１１から図１９を参照すると、更に別の代替的設計または実施形態１００"が示されている。歯ブラシ１００"の重要な特徴は、図１７から図１９に関連してより十分に説明されるハイブリッドブラシヘッド１'を利用することである。
【００２２】
図１３を参照すると、折り畳み可能な歯磨剤チューブ１３'には、ノズル４０を収容するネック１３"が設けられている（図１２）。修正されたブラダ２０'はノズル４０を通して、折り畳み可能な歯磨剤チューブ１３'から中空ネック１８を介してブラシヘッド１'へ歯磨剤を供給する。図７を参照すると、装飾リング４２が設けられ得る。
【００２３】
図１７および１８を参照すると、ブラシヘッド１'は、従来の、または、これまでのプラスチック製刷毛４４、および、熱可塑性エラストマー（ＴＰＥ）製刷毛４６の両方を含む。図１８においてもっとも良く示されているように、プラスチック製刷毛４４はＴＰＥ製刷毛４６より長い。ブラシヘッド１'の実質的に中央の場所には、ノズル５０を通して選択的に歯磨剤を押し出すためにネック１８内の通路または流路１９と連通している管状部材４８が設けられている。図１７において示されるような丸い端５２ａと、図１８においてもっとも良く示されるような概ねＵ字形の断面５２ｂとが設けられたプラスチック製の基部またはプラットフォーム５２の中に、プラスチック製刷毛４４が埋め込まれている。ブラシヘッド１'の特徴として、ＴＰＥ製刷毛は、丸い先端部５２ａを除いてプラスチック製の基部またはプラットフォーム５２を実質的にカプセル化するオーバーモールド層５４上に一体的に形成される。オーバーモールド層５４は、Ｕ字形部分５２ｂと共に、ネック１８上のタブまたはタング５８を収容するための凹部または通路５６を形成する底層５４ｂおよび側面層部分５４ａ（図１８）を含む。タブまたはタング５８は、例えば、滑動的に凹部または通路５６の中に挿入でき、摩擦係合または他の連結方法によって所定位置に保持できる。
【００２４】
ハイブリッド歯ブラシヘッド１'は、歯の表面をクリーニングする機能を提供する。ＴＰＥ製刷毛４６は、歯の表面をより穏やかにクリーニングするために、ペットの歯の上で歯磨剤を広げ、一方、プラスチック製刷毛４４は、歯石および歯垢をより効果的に除去するため、より堅い。従って、ブラシヘッド１'は、必要に応じてネック１８から容易に分離され、交換される。
【００２５】
本発明に係るペット用歯ブラシの利点は、飼い主およびペットの介助者との間でインタラクティブなブルートゥース（登録商標）機能を含み、この機能は、歯磨きデータの収集に役立ち、ペットの歯を磨くべきときにリマインダを提供する。
【００２６】
図１９を参照すると、歯ブラシのネック部分１８から分離されたブラシヘッド１'が示されている。ネック１８の遠位端に位置するのは、ネック１８から長手方向に突出しているタブまたはタング５８であり、その一部には、ネックまたは流路１９の内部通路との間で流体連通する孔６０が設けられている。タブまたはタング５８には、通常の使用中にブラシヘッド１'をネック１８に接続された状態で保持するために、凹部または通路５６との間のスナップ嵌め、または、締まり嵌めを提供するように構成され、そのような寸法を有する突出部６２も設けられ得る。 
【００２７】
また、刷毛がもはや使用に適さなくなったときに、最低限の費用でブラシヘッドを容易かつ便利に交換することを可能にするために、ネック１８および／またはハウジングとの間でブラシヘッドを選択的に接続または分離することが考えられる。 本ペット用歯ブラシを既存のブラシから差別化する主な特長には、以下が含まれる。
１．歯磨剤が舐められることなくペットの歯を磨き、ペットの歯の健康を維持する。
２．ヘッドが交換可能であるので、費用を節約し、衛生が維持される。
３．ペットの飼い主とのインタラクションにより、ペットの歯を磨く良い習慣を続けるように飼い主を促す。
４．軟包装の歯磨剤が歯磨剤チャンバ内に適合することを容易にする。
５．人々が、カスタマイズされた歯磨剤を歯磨剤チャンバの中に入れるだけで、容易に使用できる。これは、使用者の利点となるだけでなく、歯磨剤の梱包費用も節約し、環境に優しい。
６．ペットの寿命を延ばし、生活水準を改善する上で非常に重要な役割を果たす、大切なペットの歯科衛生について、飼い主の認識を改善させる。
７．環境に優しい製品である（交換可能な歯ブラシのヘッド、軟包装の歯磨剤であり得る）。
【００２８】
上の説明は、発明の好ましい実施形態に過ぎない。しかしながら、本発明の範囲は、それに限定されず、当業者は、本発明の技術的解決法および発明概念に従って、本発明の保護範囲内、本発明の範囲内で、本発明において修正を施し得る。 
【図１】
2019047775.tif 000003
【図２】
2019047775.tif 000004
【図３】
2019047775.tif 000005
【図４】
2019047775.tif 000006
【図５】
2019047775.tif 000007
【図６】
2019047775.tif 000008
【図７】
2019047775.tif 000009
【図８】
2019047775.tif 000010
【図９】
2019047775.tif 000011
【図１０】
2019047775.tif 000012
【図１１】
2019047775.tif 000013
【図１２】
2019047775.tif 000014
【図１３】
2019047775.tif 000015
【図１４】
2019047775.tif 000016
【図１５】
2019047775.tif 000017
【図１６】
2019047775.tif 000018
【図１７】
2019047775.tif 000019
【図１８】
2019047775.tif 000020
【図１９】
2019047775.tif 000021